(57)【要約】  照明装置（１）は、光を発するランプユニット（１０）と、発せられた前記光を反射するリフレクタ（２０）と、ランプユニット（１０）及びリフレクタ（２０）の両方を収容するハウジング（３０）とを有する。ランプユニット（１０）が、超高性能ランプのような、高出力レベルにおいて動作するランプを有している場合、装置（１）の動作の間、ランプユニット（１０）によって多くの熱が生成され、前記熱は、照明装置（１）の周囲に放散される必要がある。この目的のため、照明装置（１）は、リフレクタ（２０）とハウジング（３０）との間に配されているヒートシンク（４０）を備えており、ヒートシンク（４０）は、リフレクタ（２０）及びハウジング（３０）の両方に熱的に結合されている。ヒートシンク（４０）は、リフレクタ（２０）を包囲している金属細片（４２）を有する。
2008508675.tif 000002
【特許請求の範囲】
【請求項１】
−  光を発するランプユニットと、
−  前記ランプユニットによって発せられた光を反射するリフレクタであって、前記ランプユニットが通過するのを可能にするための孔を自身の底部に有しているほぼボール形のリフレクタと、
−  前記ランプユニット及び前記リフレクタの両方を収容するハウジングと、
−  照明装置の動作中、前記リフレクタから前記ハウジングまで熱を伝達する前記リフレクタと前記ハウジングとの間に配されているヒートシンクであって、前記リフレクタ及び前記ハウジングの両方に熱的に結合されているヒートシンクと、
を有する照明装置。
【請求項２】
前記ヒートシンクが、上部リングと該上部リングから延在している細片とのアセンブリを有し、該アセンブリは、前記ランプユニットが通過するのを可能にする孔を自身の底部に有しているほぼボールのような形状であり、前記アセンブリは、前記リフレクタを包囲している、請求項１に記載の照明装置。
【請求項３】
前記ヒートシンクは、銅のような熱伝導性金属を有している、請求項１又は２に記載の照明装置。
【請求項４】
−  ランプバルブ及び該ランプバルブの対向する側において延在している２つの棒形接続アームを有する光を発するランプユニットと、
−  前記ランプユニットによって発せられた光を反射するリフレクタであって、前記ランプユニットの接続アームが通過するのを可能にするための孔を自身の底部に有しているほぼボール形のリフレクタと、
−  前記ランプユニット及び前記リフレクタの両方を収容するハウジングと、
−  前記ハウジングに接続されているベースプレートであって、前記リフレクタ内の前記孔を介して延在する前記ランプユニットの接続アームの端部が前記ベースプレートに接続されているベースプレートと、
を有する照明装置。
【請求項５】
前記ベースプレートは、前記接続アームの前記ベースプレートに接続されている端部によって発せられる熱が通過するのを可能にする少なくとも１つの孔を有している、請求項４に記載の照明装置。
【請求項６】
前記ランプユニットの前記接続アームの前記端部と前記ベースプレートとの間の接続が、前記接続アームの前記端部と、前記ベースプレートから部分的に切り取られ湾曲されている少なくとも１つの接続部とによる係合によって確立されている、請求項４又は５に記載の照明装置。
【請求項７】
前記ランプユニットの前記接続アームの前記端部と前記少なくとも１つの接続部とが、密着手段によって接続されており、前記接続部は、前記接続アームに対して位置決めされており、前記密着手段は、前記接続アーム及び前記接続部の両方の周りに配されており、前記接続部を前記接続アームに対して引っ張っている、請求項６に記載の照明装置。
【請求項８】
−  光を発するランプユニットと、
−  前記ランプユニットによって発せられた光を反射するリフレクタであって、前記ランプユニットが通過するのを可能にするための孔を自身の底部に有しているほぼボール形のリフレクタと、
−  前記ランプユニット及び前記リフレクタの両方を収容するハウジングであって、前記リフレクタは前記ハウジングによって締付けられており、前記ハウジングの周部の形状は、前記リフレクタの周部の形状と異なっているハウジングと、
を有する照明装置。
【請求項９】
前記リフレクタの前記周部の前記形状は円形であり、前記リフレクタに対する締付け力を作用させるための前記ハウジングの要素が、三角形の関係において配されている、請求項８に記載の照明装置。
【請求項１０】
前記リフレクタに対する締付け力を作用させるための前記ハウジングの要素は、弾性を有する、請求項９に記載の照明装置。
【請求項１１】
−  光を発するランプユニットと、
−  前記ランプユニットによって発せられた光を反射するリフレクタであって、前記ランプユニットが通過するのを可能にするための孔を自身の底部に有しているほぼボール形のリフレクタと、
−  前記ランプユニット及び前記リフレクタの両方を収容するハウジングであって、前記リフレクタが、突起を係合する係合要素によって保持されている少なくとも１つの前記突起によって前記ハウジングに対して固定されており、前記少なくとも１つの係合要素は前記リフレクタ及び前記ハウジングの一方から延在しており、前記係合要素は、前記リフレクタ及び前記ハウジングの対応する他方に配されているハウジングと、
を有する照明装置。
【請求項１２】
前記係合要素は鋸歯の列を有する、請求項１１の照明装置。
【請求項１３】
前記係合要素は、板バネのように、圧縮された場合に外側に反発する傾向を持つ要素を有している、請求項１１に記載の照明装置。
【発明の詳細な説明】
【技術分野】
【０００１】
本発明は、光を発するランプユニットと、前記ランプユニットによって発せられる光を反射するリフレクタであって、前記ランプユニットが通過することを可能にする孔を自身の底部に有しているほぼボール形のリフレクタと、前記ランプユニット及び前記リフレクタの両方を収容するハウジングとを有する照明装置に関する。
【背景技術】
【０００２】
欧州特許出願第1 164 328号公報は、光を発するためのランプユニットと、前記ランプユニットによって発せられる光を反射するリフレクタであって、前記ランプユニットが通過することを可能にする孔を自身の底部に有しているほぼボール形のリフレクタとを有する照明装置を開示している。前記ランプユニットは、前記リフレクタに取り付けられており、前記ランプ及び前記リフレクタのアセンブリは、ハウジング内に配されており、前記ハウジングは、前記のようなランプ-リフレクタアセンブリから生じる光を透過させるための透過窓を有しており、前記リフレクタは、前記ハウジングに固定されている。
【０００３】
前記ハウジングの重要な機能は、前記照明装置がブレークダウンする際に生成され得る散乱物が、前記のような装置から出て行くのを防止するためのものである。このようにして、前記照明装置の安全性は、ハウジングを有さない照明装置に関して改善されている。前記装置内に前記散乱物を保持する目的のためにとられているこの手段は、前記ランプが水銀又は他の有害物質を含む場合、特に関係がある。前記ランプが水銀を含んでいる場合、前記ハウジングは、水銀蒸気が前記照明装置から逃げるのを防止する役割も果たしている。
【発明の開示】
【発明が解決しようとする課題】
【０００４】
多くのアプリケーションにおいて、前記ランプは、高出力ランプであり、前記ランプの温度が所定の最大値よりも高くなるのを防止するための手段がとられることが重要である。欧州特許出願第1 164 328号公報は、前記のような手段の複数の例を開示している。一実施例においては、ヒートシンクが設けられ、該ヒートシンクは、前記ランプに取り付けられている及び熱的に結合されている。前記ヒートシンクは、例えば、表面積を拡大することにより前記ランプの温度上昇を抑制する役割をしている放熱フィンである。他の実施例において、冷却用対流装置が、前記ハウジング内に設けられている。この装置は、例えば、前記ハウジングの内側の空気を強制的に対流させる冷却ファンである。
【０００５】
本発明の目的は、ハウジング内に配されているランプユニット及びリフレクタを有する照明装置であって、当該照明装置の動作中、熱が、十分な程度に放散されることを保証するための手段がとられている照明装置を提供することにある。
【課題を解決するための手段】
【０００６】
前記目的は、光を発するランプユニットと、前記ランプユニットによって発せられる光を反射するリフレクタであって、前記ランプユニットが通過することを可能にする孔を自身の底部に有しているほぼボール形のリフレクタと、前記ランプユニット及び前記リフレクタの両方を収容するためのハウジングと、前記照明装置の動作中、前記リフレクタから前記ハウジングへと熱を伝達する前記リフレクタと前記ハウジングとの間に配されているヒートシンクとを有する照明装置であって、前記ヒートシンクは、前記リフレクタ及び前記ハウジングの両方に熱的に結合されている照明装置によって達成される。
【０００７】
本発明によれば、当該照明装置の動作中、前記リフレクタから前記ハウジングへと熱を伝達する役割をするヒートシンクが設けられる。この機能を適切に実施することができるようにするために、前記ヒートシンクは、前記リフレクタと前記ハウジングとの間に配されると共に、前記リフレクタ及び前記ハウジングの両方に熱的に結合されている。
【０００８】
欧州特許出願第1 164 328号公報は、熱を放散させるヒートシンクの使用も開示していることは真実であり得るが、このヒートシンクは前記ランプに取り付けられており、主に、表面積の拡大に基づいて自身の機能を実施している。本発明によるヒートシンクは、前記リフレクタと前記ハウジングとの間に配されており、前記リフレクタ及び前記ハウジングの両方に熱的に結合されている。このようにして、前記ヒートシンクが、前記リフレクタから前記ハウジングまで熱を伝導することができ、この結果、前記ハウジングは、前記熱を周囲（environment）に発する。本発明によるヒートシンクは、前記リフレクタの比較的大きい表面のかなりの部分と接触するように設計されることができるので、欧州特許出願第1 164 328号公報から知られているヒートシンクよりも遥かに効果的であることができる。従って、本発明によるヒートシンクが利用される場合、前記照明装置を小型化することも可能である。更に、前記ヒートシンクは、ちょうど前記リフレクタと前記ハウジングの両方との間の薄い層として形成されることができるので、ほとんど空間を占有しない。例えば、前記ヒートシンクは、前記リフレクタを包囲する細片を有することもでき、前記細片は、好ましくは、銅のような熱伝導性金属によって作られる。好ましくは、前記ヒートシンクは、弾性要素を有しており、この結果、前記ヒートシンクと前記リフレクタ及び前記ハウジングとの間に良好な接触が得られることを、保証する。
【０００９】
本発明の他の目的は、特に、前記ランプユニットが、所謂超高性能ランプ（ＵＨＰランプ）を有しており、前記超高性能ランプが、ランプバルブと該ランプバルブの対向する側に延在している２つの棒形接続アームとを有している場合に、前記ランプユニットを前記照明装置のハウジングに接続する簡単な配置を提供することにある。本発明によれば、前記ハウジングに接続されているベースプレートが、前記接続アームの一方の端部を前記ハウジングに接続する目的で設けられ、前記接続アームの前記端部は、前記ベースプレートに接続される。
【００１０】
好適実施例において、前記ベースプレートは、前記接続アームの前記ベースプレートに接続されている端部が、該端部によって発せられる熱が孔を通過することを可能にすることによって冷却することを可能にするための、少なくとも１つの前記孔を有する。
【００１１】
他の好適実施例において、前記接続アームの前記端部と前記ベースプレートと間の前記接続は、前記接続アームの端部と、前記ベースプレートから部分的に切り抜かれて湾曲された少なくとも１つの接続部との係合によって確立される。この実施例の有利な点は、既に上述したように、前記ベースプレートが、冷却効果を有する少なくとも１つの孔を備えていることである。更に、前記接続部は、前記ベースプレートの一体化している部分であるので、前記ランプユニットを前記ベースプレートに接続するために別個の接続部を利用する必要がない。例えば、前記ランプユニットの前記接続アームの前記端部は、前記ベースプレートから部分的に切り抜かれ、前記ベースプレートに対して上方向に湾曲されている部分として形成されている３つの接続部の間で締付けられる。
【００１２】
前記接続アームの端部と前記ベースプレートの少なくとも１つの接続部との間の密な結合を保証する目的のために、前記接続アームの端部と前記接続部との周りへのワイヤの巻回又はセメントの使用のような、付加的な手段がとられても良い。更に、前記接続アームの前記端部は、溝を備えていても良く、前記接続部は、前記溝内に弾装（snapped into）されることができる部分を有していても良い。
【００１３】
前記ハウジング内における前記リフレクタの位置決めを容易にすることも、本発明の更に他の目的である。この目的は、前記リフレクタが前記ハウジングによって締付けられており、前記ハウジングの周部の形状が前記リフレクタの周部の形状と異なっている照明装置によって、達成される。前記ハウジング及び前記リフレクタの周部が異なる形状であることにより、前記ハウジング内の前記リフレクタの位置の調整のための空間が残されている。この有利な見地は、前記ハウジングの周部の形状が前記リフレクタの前記周部の形状に類似している場合には存在しない。
【００１４】
有利な実施例において、前記リフレクタの周部は、円形を有しており、前記リフレクタに対する締付け力を働かせるための前記ハウジングの要素が、三角形の配置で設けられている。この実施例において、前記リフレクタの３つの領域は、前記ハウジングによる締付け力の影響を受けており、前記領域は、前記リフレクタの周部にわたって均一に分配されている。このようにして、前記ハウジングにおける前記リフレクタの最適な固定が得られる。更に有利な点は、三角形の構造は、非常に頑丈であることで知られていることである。
【００１５】
好ましくは、前記リフレクタに対する締付け力を働かせるための前記ハウジングの前記要素は、弾性を有するものである。前記ハウジングの締付け作用が増強され、これにより、前記リフレクタの所定の標準寸法と前記リフレクタの実際の寸法との間の差分を補償することができる。
【００１６】
本発明の更に他の目的は、前記リフレクタを前記照明装置の前記ハウジングに接続するための単純な配置を提供し、締付けリングのような別個の接続要素の使用を回避することにある。本発明によれば、前記リフレクタは、突起を係合させる係合要素によって保持されている少なくとも１つの前記突起によって、前記ハウジングに対して固定されており、前記少なくとも１つの突起は、前記リフレクタ及び前記ハウジングの一方から延在しており、前記係合要素は、前記リフレクタ及び前記ハウジングのそれぞれの他方に配されている。
【００１７】
例えば、複数の突起が前記リフレクタ上に配され、前記ハウジングは、鋸歯の列を有している。この配置において、前記リフレクタは、前記リフレクタ上の前記突起と、前記ハウジング上の前記鋸歯の点との間の密な係合が得られるまで、前記ハウジング内へ前記リフレクタを挿入する及び自身の長手方向の軸に関して前記リフレクタを回転させることによって、前記ハウジングに接続される。他の実現可能な可能性によれば、板バネが前記ハウジング上に設けられ、前記リフレクタ上の突起が前記板バネと接触させられ、これにより前記板バネが圧縮された場合、密な係合が得られる。圧縮された場合に外側へ反発する（spring）ように傾斜された如何なる要素も、係合要素としての使用に適していることは理解されるであろう。
【発明を実施するための最良の形態】
【００１８】
本発明は、以下で添付図面を参照して、より詳細に説明されるであろう。前記添付図面において、類似する部分は、同じ符号によって示されている。
【００１９】
図１は、本発明の第１好適実施例による照明装置１を示している。以下では、この照明装置を、第１照明装置１と称する。
【００２０】
第１照明装置１は、光を発するランプユニット１０を有する。示されている例において、ランプユニット１０は、所謂超高性能ランプ（ＵＨＰランプ）を有している。ＵＨＰは、良く知られているランプである。以下に、完璧さの目的のために、このランプの簡単な説明を与える。
【００２１】
一般に、ＵＨＰランプは、ランプバルブ１１と、ランプバルブ１１の対向する側に延在している２つの棒形接続アーム１２とを有する。図１において、前記ＵＨＰランプのこれらの要素のみが、模式的に示されている。
【００２２】
前記ランプバルブ１１の内側に放電空間が存在し、該放電空間はイオン化充填物によって充填されている。前記ＵＨＰランプは、前記放電空間の充填物をイオン化する目的のための２つの円柱状電極を有しており、各電極は、ランプバルブ１１のそれぞれの端部に配されている。各電極の一方の部分は、前記放電空間内に延在しており、他方の部分は、接続アーム内に延在している。前記電極の前記接続アーム内に延在している部分の端部の一部は、モリブデン箔に接続されており、前記モリブデン箔は、前記電極へ電流を供給するためのリード線に接続されている。前記接続アームは、前記のような電極の部分と同様に、前記モリブデン箔と前記リード線の部分との両方を収容している。
【００２３】
第１照明装置１において、ランプユニット１０は、リフレクタ２０と組み合わせて使用されている。リフレクタ２０は、ほぼボールのような形状であり、ランプユニット１０の接続アーム１２の一方が通過するのを可能にする孔２１を自身の底部に有している。リフレクタ２０は、ランプユニット１０のランプバルブ１１によって発せられる光を反射する自身の機能を実施するために、反射性内面２２を有している。前記反射性内面の形状は、例えば、放物線状又は楕円状である。
【００２４】
ランプユニット１０及びリフレクタ２０は、ハウジング３０内に収容されている。ハウジング３０は、収容空間３１を有しており、前記収容空間は、ランプユニット１０のランプバルブ１１によって発せられた及びリフレクタ２０によって反射された光を透過させる透過窓３２によって閉じられている。更に、孔３３が、ランプユニット１０の接続アーム１２が通過するのを可能にするようにハウジング３０内に配されている。透過窓３２はガラスで作られているのに対し、ハウジング３０の残部は、例えば、アルミニウムのような金属で作られているのが好ましい。
【００２５】
かなりの量の熱が、ランプユニット１０の動作中にランプバルブ１１によって生成され、この結果、前記ランプバルブの壁の温度は９５０℃と同程度に高くなり得て、ハウジング３０内の温度は、３００℃と同程度に高くなり得る。照明装置１に対する被害を回避するため、熱が、周囲に放散されることが重要である。本発明の重要な見地によれば、ヒートシンク４０が設けられ、該ヒートシンク４０は、リフレクタ２０とハウジング３０との間に配されており、リフレクタ２０及びハウジング３０の両方の間に熱的に結合されている。
【００２６】
ヒートシンク４０は、リフレクタ２０からハウジング３０へと熱を伝達する働きをし、ハウジング３０は、次いで、前記熱を周囲に発する。ヒートシンク４０は、例えば、銅のような熱度伝導性金属のように、熱を非常に良好に伝導することができる材料を有していることが重要であることを理解されたい。
【００２７】
本発明の範囲内で、ヒートシンク４０は、リフレクタ２０とハウジング３０との間に配されており、かつ、十分な程度でリフレクタ２０からハウジング３０へと熱を伝達することができるものである限り、如何なる適切な形状も有することができる。ヒートシンク４０は、１つの一体化された全体である必要はないが、リフレクタ２０とハウジング３０との間に配されている別個の要素であって、これによって、言わばリフレクタ２０を包囲する別個に要素を有していても良い。
【００２８】
示した例において、ヒートシンク４０は、上方のリング４１と、上方のリング４１から延在する薄い細片とのアセンブリを有しており、該アセンブリは、リフレクタ２０の周りに嵌合しており、即ち、前記リフレクタは、ランプユニット１０の接続アームが通過される孔４３を自身の底部に有している、ほぼボールのような形状をしている。
【００２９】
図２ないし６は、前記第１照明装置１の組立工程のステップを示している。前記組立工程の第１ステップは、ヒートシンク４０を、ハウジング３０の収容空間３１内に位置させるステップを有する。図２は、ハウジング３０とヒートシンク４０とを示しており、図３は、ハウジング３０とヒートシンク４０とのアセンブリを示している。ヒートシンク４０は、溶接のような、何らかの適切な態様でハウジング３０に接続されることができる。
【００３０】
ヒートシンク４０がハウジング３０の収容空間３１に位置され、ハウジング３０に接続された後、リフレクタ２０は、ハウジング３０の収容空間３１内に位置される。図４は、リフレクタ２０を示しており、図５は、ハウジング３０とヒートシンク４０とリフレクタ２０とのアセンブリを示している。前記アセンブリにおいて、リフレクタ２０は、ヒートシンク４０によって包囲されており、ヒートシンク４０の細片４２の一部は、リフレクタ２０とハウジング３０との間に挟まれている。これらの部分は、第１照明装置１の動作中、リフレクタ２０からハウジング３０へと熱を伝達する。
【００３１】
リフレクタ２０は、何らかの適切な仕方で（例えば、締付けリングによって）ハウジング３０に固定されることができる。本発明の範囲内で、リフレクタ２０はヒートシンク４０に固定されると共に、ヒートシンク４０の細片４２が、リフレクタを位置決めする役割もすることも可能である。このような場合において、前記細片４２のアセンブリが十分な安定性を提供することが重要である。
【００３２】
ハウジング３０の組立の後、ヒートシンク４０及びリフレクタ２０が得られ、ハウジング３０の収容空間３１は、透過窓３２によって閉められる。図６は、ハウジング３０及び透過窓３２の、閉じられたアセンブリ３０であって、ヒートシンク４０及びリフレクタ２０がこのアセンブリ内に配されている閉じられたアセンブリ３０を示している。何らかの適切な接続要素が、透過窓３２をハウジング３０に固定するのに使用されることができる。示している例において、締付けリング３４は、透過窓３２をハウジング３０に対して適所に保持するのに利用される。
【００３３】
ヒートシンク４０及びリフレクタ２０が、ハウジング３０の収容空間３１内で適切な位置にある場合、ランプユニット１０は、適切な位置に配されている。ランプユニット１０のランプバルブ１１は、最適な光出力を得るように、リフレクタ２０の内面２２に対して正確に位置決めされることが重要である。本発明による第１照明装置１において、リフレクタ２０の内面２２に対するランプユニット１０ランプのバルブ１１の正確な位置決めは、一方では、ハウジング３０に対するランプユニット１０のランプバルブ１１の正確な位置決めによって実現され、他方では、ハウジング３０に対するリフレクタ２０の内面２２の正確な位置決めによって達成される。
【００３４】
示している例において、金属口金３５と、金属口金３５を収容する関連する収容ユニット３７及び孔を有する位置決めプレート３６とが、ハウジング３０に対してランプユニット１０を位置決めするのに使用されている。金属口金３５及び位置決めプレート３６は、ひとたびランプユニット１０がハウジング３０に対して適切な位置にあれば、ハウジング３０にランプユニット１０を固定する役割も果たす。金属口金３５及び位置決めプレート３６は、図６に示されている。ランプユニット１０も、金属口金３５が位置決めアーム１２の端部に配されている状態で、図６に示されている。
【００３５】
ランプユニット１０を適切な位置に位置させる工程は、複数のステップを有する。まず、金属口金３５が、ランプユニット１０の位置決めアーム１２の端部に配される。次いで、ランプユニット１０と金属口金３５とのアセンブリは、自在接続アーム１２、ランプバルブ１１及び他の接続アーム１２の部分が、ハウジング３０、ヒートシンク４０及びリフレクタ２０それぞれにおける孔３３、４３、２１を通して移動されて、ほぼ適切な位置に移動される。ランプユニット１０がほぼ適切な位置に配されている場合、位置決めプレート３６は、ハウジング３０の外面３８の一部、詳細には、外面３８の孔３３を包囲している部分に対して取り付けられる。前記工程において、金属口金３５の一部は、収容ユニット３７内に収容される。単純な実施例において、収容ユニット３７は、金属口金３５を密接に包囲することができるスリーブとして形成される。
【００３６】
既に記載したように、ランプユニット１０がハウジング３０に対して正確に位置決めされ、この結果、ランプユニット１０のランプバルブ１１が、リフレクタ２０の内面２２に対して正確に位置決めされることが重要である。ランプユニット１０の長手方向における位置の調整は、同じ方向における位置決めプレート３６の収容ユニット３７に対する金属口金３５の変位によって実現される。ランプユニット１０の、前記長手方向に垂直な方向における位置の調整は、同じ方向におけるハウジング３０に対する位置決めプレート３６の変位によって実現される。
【００３７】
更に、ランプユニット１０の長手方向の軸は、リフレクタ２０の対称の軸と一致していることが重要である。従って、収容ユニット３７は、位置決めプレート３６がハウジング３０の外面３８に対して位置される際、金属口金３５を長手方向に位置合わせするように適応化される。ランプユニット１０の適切な位置合わせは、このようにして得られる。ランプユニット１０が前記のような所望の位置にある場合、金属口金３５は位置決めプレート３６に固定され、位置決めプレート３６は、例えば、溶接によって、ハウジング３０に固定される。
【００３８】
図７は、本発明の第２好適実施例による照明装置２を示している。以下の記載において、この照明装置２を、第２照明装置２と称する。
【００３９】
第１照明装置１のように、第２照明装置２は、ランプユニット１０、リフレクタ２０及びハウジング３０を有しており、ランプユニット１０及びリフレクタ２０は、透過窓３２によって閉じられているハウジング３０の収容空間３１内に収容されている。第２照明ユニット２と第１照明ユニット１との間の違いは、ランプユニット１０がハウジング３０に接続されている仕方に関するものである。第２照明装置２において、ベースプレート５０が、ランプユニット１０とハウジング３０との間の接続を確立するために利用されている。ベースプレート５０の平面図が、図８に示されている。ベースプレート５０は、ハウジング３０に接続されており、ランプユニット１０の接続アーム１２の端部は、ベースプレート５０に接続されている。
【００４０】
ベースプレート５０とハウジング３０との間の接続は、何らかの適切な仕方において確立されることができる。示されている例において、ベースプレート５０は、ハウジング３０に対して位置決めされているのではなく、ハウジング３０から離間されて配されている。ベースプレート５０のこの配置は、冷却孔５１が、この例におけるベースプレート５０内に配されていることに関連するものである。ランプユニット１０の動作の間、ランプユニット１０の接続アーム１２の端部によって発せられる熱は、前記端部がベースプレート５０に接続されているので、冷却孔５１を介して取り除かれる。
【００４１】
ランプユニット１０の接続アーム１２の端部とベースプレート５０との間の接続は、何らかの適切な仕方で確立されることもできる。好ましくは、ベースプレート５０は、ベースプレート５０から部分的に切り取られて湾曲された部分として形成されている接続部５２を有する。図８において示されているベースプレート５０は、３つの接続部５２を有し、この結果、３つの細長い孔５３を有し、各接続部５２のベースは、関連する孔５３のベースに取付けられている。３つの接続部５２は、ランプユニット１０の接続アーム１２の端部を密接に包囲することができるように、円の周部に位置決めされている。
【００４２】
図９は、第１の可能性の接続部５２の側面図である。この可能性によれば、接続部５２は、自身の長さのほぼ中間において、互いに向かう方向に湾曲されている。接続部５２の間の相互距離は、ランプユニット１０の接続アーム１２の端部が接続部５２の間に挿入される場合に、接続部５２の湾曲された部分によって接触されるように、選択される。接続部５２の組み合わせによってランプユニット１０の接続アーム１２の端部に対して作用される締付け力に頼ることもできるが、更に、例えば、前記端部と接続部５２との間に塗布されるセメントを使用することによって、前記端部と接続部５２との間の接続を確実にすることもできる。
【００４３】
図１０は、第２の可能性の接続部５２の側面図である。この可能性によれば、接続部５２は、２つの内側に湾曲されている部分を有する。ランプユニット１０の接続アーム１２の端部が接続部５２の間に挿入された場合、前記端部と接続部５２との間の接続は、前記湾曲されている部分において、前記接続部５２の周りに巻回される耐熱ワイヤ５４によって、確実にされる。締付けバネのような、他の締付手段が、ワイヤ５４の代わりに使用されることもできる。
【００４４】
接続部５２の複数の湾曲された部分は、本質的なものではないことを理解されたい。更に、ランプユニット１０の接続アーム１２の端部をベースプレート５０に接続するための追加的な手段が、とられることもできることを理解されたい。例えば、ランプユニット１０の接続アーム１２の端部が、少なくとも１つの溝を備えていても良く、この結果、接続部５２の少なくとも１つの湾曲されている部分が、この溝内に弾装されることができ、これにより更なる安全な固定が得られる。
【００４５】
図１１ないし１３は、本発明の第３好適実施例による照明装置３を示している。以下では、この照明装置３を、第３照明装置３と称する。
【００４６】
第３照明装置３において、リフレクタ２０は、ハウジング３０によって締付けられている。第３照明装置３の他の特徴的なフィーチャは、ハウジング３０の周部の形状が、リフレクタ２０の周部の形状とは異なることである。示されている例において、リフレクタ２０の周部は円形であり、ハウジング３０の周部は、六角形であり、３つの側面３９がリフレクタ２０に対する締付け力を作用させるように設計されている。これら３つの側面３９は、三角形の配置で設けられており、即ち、これらの側面３９の間の関係は、三角形の側面の間の関係に類似している。
【００４７】
リフレクタ２０のハウジング３０内における位置決めの工程は、リフレクタ２０がハウジング３０によって締付けられていることによって容易にされている。ひとたび、リフレクタ２０がハウジング３０の収容空間３１内に挿入された場合、リフレクタ２０は、付加的な手段に関する必要性を伴わずに、ハウジング３０に対して固定される。ハウジング３０及びリフレクタ２０の周部は、異なる形状を有しているため、リフレクタ２０のハウジング３０内での位置の調整のための空間は、前記周部が類似の形状を有する場合よりも多く設けられている。
【００４８】
好ましくは、ハウジング３０の３つの側面３９は、弾性のものであり、ハウジング３０を締付ける作用を増強する。更に有利な結果は、リフレクタ２０の寸法の偏差が、少なくとも１つの側面３９の弾性作用によって補償されることができることにある。側面３９のうちの１つのあり得る隆起が、破線によって図１１内に模式的に示されている。
【００４９】
図１２及び１３は、ハウジング３０が、冷却フィン６０又は他の突起を備えて設けられることができることを示している。冷却フィン６０は、ハウジング３０の熱放散面を拡大している。結果として、第３照明装置３の動作中のハウジング３０から前記周囲への熱の放散が、増強される。
【００５０】
図１４及び１５は、ひとたびリフレクタ２０がハウジング３０内に位置されると、リフレクタ２０の自身の長手方向の軸に関する回転が防止される、可能な配置を示す役割をしている。一般に、このような配置は突起と係合要素との係合を含んでおり、前記のような突起は前記リフレクタ及びハウジング３０の一方に配され、前記係合要素はリフレクタ２０及びハウジング３０の他方に配される。突起及び係合要素の組み合わせの数は本質的なものではなく、少なくとも２つの前記のような組み合わせを有するのが好ましいことを理解されたい。
【００５１】
図１４に示されている可能性によれば、３つの突起７０がリフレクタ２０内に配されており、鋸歯７５の列が、ハウジング３０に配されており、更に詳細には、側面３９がリフレクタ２０に対する締付けの力を作用させる。リフレクタ２０が、ハウジング３０内に挿入され、突起７０は、リフレクタ２０とハウジング３０との間の自由空間内にある。次いで、リフレクタ２０は、ハウジング３０に対して該ハウジングの長手方向の軸に関して回転され、突起７０は、鋸歯と係合するようになり、鋸歯７５によってロックされる。前記のような工程において、突起７０は、先ず鋸歯７５の側の斜面側（beveled side）を走り、この後、突起７０は、該突起７０の垂直側に対してロックされる。
【００５２】
図１５に示されている可能性によれば、３つの突起７０がリフレクタ２０上に配され、３つの板バネ７６がハウジング３０上に配されており、更に、特に側面３９が、リフレクタ２０に対する締付力を作用させる。リフレクタ２０はハウジング３０内に挿入され、突起７０は、リフレクタ２０とハウジング３０との間の自由空間内にある。次いで、リフレクタ２０は、ハウジング３０に対して該ハウジングの長手方向の軸に関して回転され、この結果、突起７０は、板バネ７６と接触するようになる。この工程において、板バネ７６は突起７０によって圧縮され、板バネ７６は、板バネ７６が再び外側に反発しようとするので、該突起に対して圧縮力を作用させる。前記圧縮力は、リフレクタ２０をハウジング３０に保持させると共に、リフレクタ２０の自身の長手方向の軸に関する回転が防止される。
【００５３】
ハウジング３０を、前記長手方向におけるハウジング３０に対するリフレクタ２０の変位も防止するために、突起７０内にくぼみ７１を配することが可能であり、この結果、リフレクタ２０が突起７０を板バネ７６に接触させる目的でハウジング３０に対して回転された場合、板バネ７６の一部は、突起７０のくぼみ７１内にロックされる。くぼみ７１を有する突起７０と、くぼみ７１内にロックされる板バネ７６との組み合わせが、図１６に示されている。
【００５４】
上述の照明装置１、２、３は、様々な目的に適している。例えば、照明装置１、２、３は、プロジェクタ、リアプロジェクションテレビ装置又は自動車において利用されることができる。
【００５５】
当業者であれば、本発明の範囲は、上述の例に限定されるものではなく、これらの幾つかの修正及び変更が、添付請求項に規定されている本発明の範囲から逸脱することなく可能であることは明らかであろう。
【００５６】
本発明の範囲内において、照明装置の様々な他の実施例であって、上述の実施例の２つ又は３つの特有のフィーチャが組み合わされた実施例が実現可能である。例えば、一実施例は、第２照明装置２又は第３照明装置３に基づくものであると共に、第１照明装置１と関連して示したヒートシンク４０を付加的に有することもできる。他の実施例は、第１照明装置又は第２照明装置２に基づくと共に、第３照明装置３に関連して示した冷却フィン６０を付加的に有することもできる。
【００５７】
上述において、光を発するランプユニット１０と、発せられた光を反射するリフレクタ２０と、ランプユニット１０及びリフレクタ２０の両方を収容するためのハウジング３０とを有する照明装置１、２、３が開示された。ランプユニット１０が、例えば超高性能ランプのような、高出力レベルにおいて動作するランプを有する場合、多くの熱が、装置１、２、３の動作中にランプユニット１０によって生成され、該熱は、照明装置１、２、３の周囲に放散される必要がある。
【００５８】
前記照明装置が、前記熱の放散を増強するために、リフレクタ２０及びハウジング３０の両方に熱的に結合されている、リフレクタ２０とハウジング３０との間に配されたヒートシンク４０を備えることができる仕方が開示されている。１つの可能な実施例において、ヒートシンク４０は、リング４１とリング４１から延在している金属細片とのアセンブリであって、リフレクタ２０を包囲している金属細片アセンブリを有している。
【図面の簡単な説明】
【００５９】
【図１】本発明の第１好適実施例による照明装置の模式的な側面図であり、前記照明装置の複数の要素の長手方向の断面が示されている。
【図２】図１に示した照明装置の組立工程のステップを示している。
【図３】図１に示した照明装置の組立工程のステップを示している。
【図４】図１に示した照明装置の組立工程のステップを示している。
【図５】図１に示した照明装置の組立工程のステップを示している。
【図６】図１に示した照明装置の組立工程のステップを示している。
【図７】本発明の第２好適実施例による照明装置の模式的な長手方向の断面図である。
【図８】図７に示した照明装置の一部であるベースプレートの模式的な平面図である。
【図９】ランプユニットと図８に示した前記ベースプレートとのアセンブリの長手方向の断面図である。
【図１０】図９に示した前記アセンブリに対する代替的なものの模式的な長手方向の断面図である。
【図１１】本発明の第３の好適実施例による照明装置の模式的な正面図である。
【図１２】図１１に示した前記照明装置の模式的な長手方向の断面図である。
【図１３】図１１に示した前記照明装置の模式的な背面図である。
【図１４】図１１の細部Ａに対する第１の可能な代替的なものを模式的に示している。
【図１５】図１１の細部Ａに対する第２の可能な代替的なものを模式的に示している。
【図１６】図１１の細部Ａに対する第３の可能な代替的なものを模式的に示している。
【図１】
2008508675.tif 000003
【図２】
2008508675.tif 000004
【図３】
2008508675.tif 000005
【図４】
2008508675.tif 000006
【図５】
2008508675.tif 000007
【図６】
2008508675.tif 000008
【図７】
2008508675.tif 000009
【図８】
2008508675.tif 000010
【図９】
2008508675.tif 000011
【図１０】
2008508675.tif 000012
【図１１】
2008508675.tif 000013
【図１２】
2008508675.tif 000014
【図１３】
2008508675.tif 000015
【図１４】
2008508675.tif 000016
【図１５】
2008508675.tif 000017
【図１６】
2008508675.tif 000018
【国際調査報告】
2008508675.tif 000019
2008508675.tif 000020
2008508675.tif 000021
2008508675.tif 000022
2008508675.tif 000023